(57)【要約】【課題】簡易な構成で、信号伝送における極数の変動に対応して絶縁ハウジングを安価かつ迅速に対応させることを可能とする。【解決手段】信号伝送用のコンタクト部材１２，２２が圧入されるコンタクト取付け部１１ｃ，２１ｃを備えた長尺状の絶縁ハウジング１１，２１の元の素材１１‘，２１’を適宜の位置で切断することによって各々の絶縁ハウジング１１，２１として使用可能とした構成により、信号伝送における極数の変動に対応させたものである。【選択図】図１
2017162783.tif 000002
【特許請求の範囲】
【請求項１】
配線基板の表面上に実装された状態で、相手コネクタとの嵌合・抜去が行われる構成になされたものであって、
絶縁ハウジングに列状に配列された複数体のコンタクト取付け部の各々に、信号伝送用のコンタクト部材が圧入により装着された電気コネクタにおいて、
前記複数体のコンタクト取付け部の配列の方向における両端に位置するコンタクト取付け部に、金属製の補強部材が圧入により装着されたものであって、
前記補強部材が、前記コンタクト取付け部の配列の方向に略直交する方向に延在することで、前記絶縁ハウジングの外壁を構成していることを特徴とする電気コネクタ。
【請求項２】
第１の配線基板の表面上に実装される第１コネクタと、第２の配線基板の表面上に実装される第２コネクタとが、相互に嵌合・抜去可能な関係に構成されたものであって、
前記第１及び第２コネクタの各絶縁ハウジングに列状に配列された複数体のコンタクト取付け部の各々に、信号伝送用のコンタクト部材が圧入により装着された電気コネクタ装置において、
前記複数体のコンタクト取付け部の配列の方向における両端に位置するコンタクト取付け部に、金属製の補強部材が圧入により装着されたものであって、
前記補強部材が、前記コンタクト取付け部の配列の方向に略直交する方向に延在することで、前記絶縁ハウジングの外壁を構成していることを特徴とする電気コネクタ装置。
【請求項３】
前記絶縁ハウジングは、前記複数体のコンタクト取付け部における配列の方向の両端面が、機械的切断面になされていることを特徴とする請求項１記載の電気コネクタ又は請求項２記載の電気コネクタ装置。
【請求項４】
前記第２コネクタが、前記第１コネクタの内方領域に嵌合される構成になされたものであって、
前記第２コネクタの補強部材の一部が、前記第１コネクタの外方領域に突出した状態に嵌合が行われる構成を備えていることを特徴とする請求項２記載の電気コネクタ装置。
【請求項５】
前記第１及び第２コネクタのうちの一方のコネクタに嵌合凹部が設けられているとともに、その嵌合凹部に嵌合される嵌合凸部が他方のコネクタに設けられたものであって、
前記嵌合凹部を構成している凹状溝が、前記複数体のコンタクト取付け部の配列の方向において連続していることを特徴とする請求項２記載の電気コネクタ装置。
【請求項６】
前記第１及び第２コネクタのうちの一方のコネクタに嵌合凹部が設けられているとともに、その嵌合凹部に嵌合される嵌合凸部が他方のコネクタに設けられ、
前記第１及び第２コネクタに、嵌合時に電気的に接触する前記コンタクト部材が設けられたものであって、
前記一方のコネクタに設けられた前記補強部材が、前記コンタクト部材と同一の形状部分を一部に備えていることを特徴とする請求項２記載の電気コネクタ装置。
【発明の詳細な説明】
【技術分野】
【０００１】
本発明は、配線基板に実装された状態で互いに嵌合される基板接続用の電気コネクタおよび電気コネクタ装置に関する。
【背景技術】
【０００２】
一般に、種々の電気機器において、スタッキングコネクタなどと呼ばれる基板接続用の電気コネクタ装置が広く採用されている。基板接続用の電気コネクタ装置は、例えば第１の配線基板が連結された第１の電気コネクタの上方に、第２の配線基板が連結された第２の電気コネクタを対向するように配置して使用され、その対向状態から上方側の第２の電気コネクタが、下方側の第１の電気コネクタに向かって下降されるようにして押し込まれ、それによって両電気コネクタ同士が嵌合状態になされることで、第１及び第２の配線基板同士が電気的に接続されるようになっている。
【０００３】
そして、このように基板接続用の電気コネクタ装置を介して配線基板同士が電気的に接続された状態とすることで必要な電気信号の伝送が行われることとなるが、そのときの電気信号の伝送には、一般に複数の極数が必要である。従って、複数極の電気信号の伝送を行う基板接続用の電気コネクタ装置においては、電気信号の伝送に必要な複数の極数に対応した数のコンタクト部材を絶縁ハウジングに多極状に配列した構成が採用されることとなる。
【０００４】
一方、電気信号の伝送に必要な極数は種々存在していることから、従来の基板接続用の電気コネクタ装置においては、異なる数の極数に応じて互いに長さが異なる絶縁ハウジングを、予め複数種類にわたって準備しておくことが行われている。しかしながら、そのように長さが異なる絶縁ハウジングを複数種類にわたって製造し取扱うに際しては、基板接続用の電気コネクタ装置を製造する各種工程が複雑化することから、生産性の低下を招来させることも考えられる。
【先行技術文献】
【特許文献】
【０００５】
【特許文献１】特開２０１２−１２３９２０号公報
【発明の開示】
【発明が解決しようとする課題】
【０００６】
そこで本発明は、簡易な構成で、電気信号の伝送における異なる極数に対して容易に対応することができる絶縁ハウジングを備えた基板接続用の電気コネクタおよび電気コネクタ装置を提供することを目的とする。
【課題を解決するための手段】
【０００７】
上記目的を達成するため請求項１にかかる発明では、配線基板の表面上に実装された状態で、相手コネクタとの嵌合・抜去が行われる構成になされたものであって、絶縁ハウジングに列状に配列された複数体のコンタクト取付け部の各々に、信号伝送用のコンタクト部材が圧入により装着された電気コネクタにおいて、前記複数体のコンタクト取付け部の配列の方向における両端に位置するコンタクト取付け部に、金属製の補強部材が圧入により装着されたものであって、前記補強部材が、前記コンタクト取付け部の配列の方向に略直交する方向に延在することで、前記絶縁ハウジングの外壁を構成することとしている。
【０００８】
また、請求項２にかかる発明では、第１の配線基板の表面上に実装される第１コネクタと、第２の配線基板の表面上に実装される第２コネクタとが、相互に嵌合・抜去可能な関係に構成されたものであって、前記第１及び第２コネクタの各絶縁ハウジングに列状に配列された複数体のコンタクト取付け部の各々に、信号伝送用のコンタクト部材が圧入により装着された電気コネクタ装置において、前記複数体のコンタクト取付け部の配列の方向における両端に位置するコンタクト取付け部に、金属製の補強部材が圧入により装着されたものであって、前記補強部材が、前記コンタクト取付け部の配列の方向に略直交する方向に延在することで、前記絶縁ハウジングの外壁を構成することとしている。
【０００９】
このような構成を有する本発明によれば、絶縁ハウジングの元の素材を適宜の位置で切断することによって、各々の被切断部分が絶縁ハウジングとして使用されることとなり、電気信号の伝送に必要な極数の変動に対応して切断位置を変更するだけで絶縁ハウジングが安価かつ迅速に製造される。
【００１０】
さらに、請求項３にかかる発明のように、前記絶縁ハウジングは、前記複数体のコンタクト取付け部における配列の方向の両端面が、機械的切断面になされていることを特徴とすることが可能である。
【００１１】
さらにまた、請求項４にかかる発明のように、前記第２コネクタが、前記第１コネクタの内方領域に嵌合される構成になされたものであって、前記第２コネクタの補強部材の一部が、前記第１コネクタの外方領域に突出した状態に嵌合が行われる構成を備えていることが可能である。
【００１２】
一方、請求項５にかかる発明のように、前記第１及び第２コネクタのうちの一方のコネクタに嵌合凹部が設けられているとともに、その嵌合凹部に嵌合される嵌合凸部が他方のコネクタに設けられたものであって、前記嵌合凹部を構成している凹状溝が、前記複数体のコンタクト取付け部の配列の方向において連続していることが可能である。
【００１３】
また、請求項６にかかる発明のように、前記第１及び第２コネクタのうちの一方のコネクタに嵌合凹部が設けられているとともに、その嵌合凹部に嵌合される嵌合凸部が他方のコネクタに設けられ、前記第１及び第２コネクタに、嵌合時に電気的に接触する前記コンタクト部材が設けられたものであって、前記一方のコネクタに設けられた前記補強部材が、前記コンタクト部材と同一の形状部分を一部に備えていることが可能である。
【発明の効果】
【００１４】
以上述べたように本発明にかかる基板接続用の電気コネクタおよび電気コネクタ装置は、信号伝送用のコンタクト部材が圧入されるコンタクト取付け部を備えた絶縁ハウジングの素材を適宜の位置で切断することによって各々の絶縁ハウジングとして使用可能とした構成により、簡易な構成で電気信号の伝送における異なる極数に対して容易に対応できる。
【図面の簡単な説明】
【００１５】
【図１】本発明の一実施形態にかかる第１の電気コネクタ（リセプタクルコネクタ）を上方側から表した外観斜視説明図である。
【図２】図１に示された本発明の一実施形態にかかる第１の電気コネクタ（リセプタクルコネクタ）を表した平面説明図である。
【図３】図１及び図２に示された本発明の一実施形態にかかる第１の電気コネクタ（リセプタクルコネクタ）を表した正面説明図である。
【図４】図１〜図３に示された本発明の一実施形態にかかる第１の電気コネクタ（リセプタクルコネクタ）を表した側面説明図である。
【図５】図３中のV−V線に沿った拡大横断面説明図である。
【図６】図１〜図５に示された第１の電気コネクタ（リセプタクルコネクタ）に使用されている補強部材の単体構造を表した外観斜視説明図である。
【図７】図６に示された補強部材を表した平面説明図である。
【図８】図６及び図７に示された補強部材を表した正面説明図である。
【図９】図６〜図８に示された補強部材を表した側面説明図である。
【図１０】本発明の一実施形態にかかる第２の電気コネクタ（プラグコネクタ）を上方側から表した外観斜視説明図である。
【図１１】図１０に示された本発明の一実施形態にかかる第２の電気コネクタ（プラグコネクタ）を表した平面説明図である。
【図１２】図１０及び図１１に示された本発明の一実施形態にかかる第２の電気コネクタ（プラグコネクタ）を表した正面説明図である。
【図１３】図１０〜図１２に示された本発明の一実施形態にかかる第２の電気コネクタ（プラグコネクタ）を表した側面説明図である。
【図１４】図１２中のXII−XII線に沿った拡大断面説明図である。
【図１５】図１０〜図１４に示された第２の電気コネクタ（プラグコネクタ）に使用されている補強部材の単体構造を表した外観斜視説明図である。
【図１６】図１５に示された補強部材を表した平面説明図である。
【図１７】図１５及び図１６に示された補強部材を表した正面説明図である。
【図１８】図１５〜図１７に示された補強部材を表した側面説明図である。
【図１９】図１〜図９に示された本発明の一実施形態にかかる第１の電気コネクタ（リセプタクルコネクタ）に使用されている絶縁ハウジングを形成する元の素材を表した外観斜視説明図である。
【図２０】図１９に示された絶縁ハウジングの元の素材を必要な長さに切断した状態を表した外観斜視説明図である。
【図２１】絶縁ハウジングの元の素材を必要な長さに切断して、本発明の一実施形態にかかる第１の電気コネクタ（リセプタクルコネクタ）に使用されている絶縁ハウジングとした状態を表した外観斜視説明図である。
【図２２】図２１に示された絶縁ハウジングを表した平面説明図である。
【図２３】図２１及び図２２に示された絶縁ハウジングを表した正面説明図である。
【図２４】図２１〜図２３に示された絶縁ハウジングを表した側面説明図である。
【図２５】図１０〜図１４に示された本発明の一実施形態にかかる第２の電気コネクタ（プラグコネクタ）に使用されている絶縁ハウジングを形成する元の素材を表した外観斜視説明図である。
【図２６】図１９に示された絶縁ハウジングの元の素材を必要な長さに切断した状態を表した外観斜視説明図である。
【図２７】絶縁ハウジングの元の素材を必要な長さに切断して、本発明の一実施形態にかかる第２の電気コネクタ（プラグコネクタ）に使用されている絶縁ハウジングとした状態を表した外観斜視説明図である。
【図２８】図２７に示された絶縁ハウジングを表した平面説明図である。
【図２９】図２７及び図２８に示された絶縁ハウジングを表した正面説明図である。
【図３０】図２７〜図２９に示された絶縁ハウジングを表した側面説明図である。
【図３１】本発明の一実施形態にかかる第１の電気コネクタ（リセプタクルコネクタ）に対して第２の電気コネクタ（プラグコネクタ）を上方側に対向配置させた状態を、配線基板を省略して表した外観斜視説明図である。
【図３２】図３１の対向状態から上方の第１の電気コネクタ（リセプタクルコネクタ）を下降させて第２の電気コネクタ（プラグコネクタ）に嵌合させた状態を表した外観斜視説明図である。
【図３３】図３２に示された第１の電気コネクタ（リセプタクルコネクタ）と第２の電気コネクタ（プラグコネクタ）との嵌合状態を表した平面説明図である。
【図３４】図３２及び図３２に示された第１の電気コネクタ（リセプタクルコネクタ）と第２の電気コネクタ（プラグコネクタ）との嵌合状態を表した側面説明図である。
【図３５】図３２〜図３４に示された第１の電気コネクタ（リセプタクルコネクタ）と第２の電気コネクタ（プラグコネクタ）との嵌合状態を表した正面説明図である。
【図３６】図３４中のXXXVI−XXXVI線に沿った拡大断面説明図である。
【発明を実施するための形態】
【００１６】
以下、本発明を適用した実施形態について図面に基づき詳細に説明する。
【００１７】
［電気コネクタ装置の全体構造について］
図面に示された本発明の一実施形態にかかる基板接続用の電気コネクタ装置は、例えば、携帯電話、スマートフォン、或いはタブレット型コンピュータ等の各種電子機器内に配置された配線基板同士を電気的に接続するように用いられるものであって、図１〜図５に示された第１の電気コネクタとしてのリセプタクルコネクタ１０と、図１０〜図１４に示された第２の電気コネクタとしてのプラグコネクタ２０と、から構成されている。そして、リセプタクルコネクタ（第１の電気コネクタ）１０が、図示を省略した第１の配線基板に実装されるとともに、プラグコネクタ（第２の電気コネクタ）２０が、同じく図示を省略した第２の配線基板に実装され、そのような両電気コネクタ１０，２０の実装状態で対向配置されたリセプタクルコネクタ１０とプラグコネクタ２０とが互いに嵌合され、それによって第１及び第２の配線基板同士の電気的な接続が行われるようになっている。
【００１８】
以下の説明においては、リセプタクルコネクタ（第１の電気コネクタ）１０と、プラグコネクタ（第２の電気コネクタ）２０との嵌合方向を「上下方向」とし、その上下方向における下方位置に水平状態にリセプタクルコネクタ１０が配置され、その上方位置にプラグコネクタ２０が同じく水平状態に配置され（図３１参照）、そのような上下の対向状態から、プラグコネクタ２０が下方向に押し込まれることで、両電気コネクタ１０，２０同士の嵌合操作が行われるものとする（図３２参照）。また、そのような嵌合状態からプラグコネクタ２０が上方に向かって適宜の力で引き上げられることで、下方側のリセプタクルコネクタ１０からプラグコネクタ２０が上方に抜去される構成になされている。
【００１９】
上述したようにリセプタクルコネクタ（第１の電気コネクタ）１０にプラグコネクタ（第２の電気コネクタ）２０を嵌合・抜去する操作は、作業者の手で行われることに限られることはなく、所定の治具や機械によって自動的に行うようにしても良い。
【００２０】
なお、上述したように嵌合・抜去を行うにあたっては、下方位置において「水平状態」に配置されたリセプタクルコネクタ（第１の電気コネクタ）１０に対して、上方位置において「水平状態」に配置されたプラグコネクタ（第２の電気コネクタ）２０の上下が反転された状態で対向配置されこととなるが、特に、プラグコネクタ２０の単体を説明するにあたっては、反転が行われる前の状態、すなわち第２の配線基板の上表面に対して、上方側からプラグコネクタ２０を実装した状態で説明する。
【００２１】
［各電気コネクタの構造について］
それらのリセプタクルコネクタ（第１の電気コネクタ）１０、及びプラグコネクタ（第２の電気コネクタ）２０は、細長状に延在する絶縁ハウジング１１及び２１を有している。それらの絶縁ハウジング１１及び２１は、プラスチック等の樹脂材を用いて例えばモールド成形されたものであるが、当該絶縁ハウジング１１及び２１の長手方向に沿って多数のコンタクト部材１２及び２２が、所定のピッチで多極状をなすように配列されている。これらのコンタクト部材１２及び２２の配列方向である絶縁ハウジング１１及び２１の長手方向を、以下において「コネクタ長手方向」と呼び、その「コネクタ長手方向」及び「上下方向」に直交する方向を「コネクタ幅方向」と呼ぶこととする。
【００２２】
ここで、上述した各絶縁ハウジング１１及び２１は、特に図２１〜図２４及び図２７〜図３０に示されているように、平面略長方形状をなす底面板１１ａ及び２１ａを有しているとともに、それらの各底面板１１ａ及び２１ａにおけるコネクタ幅方向の両側端縁には、コネクタ長手方向に沿って略平行に延在する一対の板状部材からなる長手側壁部１１ｂ，１１ｂ及び２１ｂ，２１ｂが、上方に向かって立ち上がるように形成されている。
【００２３】
一方、上述した底面板１１ａ及び２１ａ並びに長手側壁部１１ｂ及び２１ｂにおけるコネクタ長手方向の両端部は機械的な切断面になされている。すなわち、それらが設けられた各絶縁ハウジング１１及び２１におけるコネクタ長手方向の両端部分には、コネクタ幅方向に結ぶ短手側壁部は設けられておらず、コネクタ長手方向に開放された状態になされているが、当該絶縁ハウジング１１及び２１におけるコネクタ長手方向両端の開放部分には、後述するリセ側補強部材１５及びプラグ側補強部材２５が取り付けられている。そして、それらの各補強部材１５，２５と、上述した長手側壁部１１ｂ，２１ｂとにより、平面略長方形状をなすコネクタ内方空間が形成されている。なお、リセ側補強部材１５は、絶縁ハウジング１１におけるコネクタ長手方向両端部分を開放状態のままに維持する構成になされているが、プラグ側補強部材２５は、絶縁ハウジング２１におけるコネクタ長手方向両端部分を閉塞状態とする構成になされている。これらの各補強部材１５，２５に関する詳細な説明は、後段において行うこととする。
【００２４】
このような絶縁ハウジング１１及び２１に対してコンタクト部材１２及び２２は、上述したようにコネクタ長手方向において多極状をなす配列になされているが、より具体的には、絶縁ハウジング１１，２１の長手側壁部１１ｂ，１１ｂ及び２１ｂ，２１ｂには、一定のピッチで凹溝状をなすようにしてコンタクト取付け部１１ｃ，１１ｃ及び２１ｃ，２１ｃが、窪むようにして設けられており、それらの各コンタクト取付け部１１ｃ，２１ｃに対して、上述した各コンタクト部材１２及び２２が、上方から差し込まれるようにして装着されている。
【００２５】
これらのコンタクト部材１２及び２２の各々は、２列の電極列を形成するようにコネクタ幅方向において対称的に向かい合う配置関係になされている。これらのコンタクト部材１２及び２２の各々により形成された２列の電極列は、コネクタ長手方向に沿って略平行に延在するように並設されている。
【００２６】
より具体的に説明すると、まず、リセプタクルコネクタ（第１の電気コネクタ）１０側のコンタクト部材１２が取り付けられている絶縁ハウジング１１には、上述した２列の電極列同士の間部分、すなわちコネクタ幅方向の中央部分に、底面板１１ａから上方に突出する仕切り板１１ｄが、コネクタ長手方向に沿って延在するように設けられている。そして、その仕切り板１１ｄと、当該仕切り板１１ｄのコネクタ幅方向の両側に配置された長手側壁部１１ｂ，１１ｂとの間の空間部分に、両側の電極列を構成している一対のコンタクト部材１２，１２が、コネクタ幅方向に対称的な形状をなすように向かい合って取り付けられている。それらの各コンタクト部材１２は、コネクタ幅方向においてコネクタ中心側から外方側に向かって湾曲形状をなして延在するように折り曲げ形成されているが、当該コンタクト部材１２のコネクタ内方側部分には、凹状の溝形状をなして窪む嵌合凹部１２ａが形成されている。
【００２７】
このようにしてリセプタクルコネクタ（第１の電気コネクタ）１０に設けられたコンタクト部材１２の嵌合凹部１２ａを構成している凹状溝は、複数体のコンタクト取付け部１１ｃ，１１ｃの配列の方向である「コネクタ長手方向」に連続しており、前述したように同方向における両端部分が開放された状態になされている。そして、その絶縁ハウジング１１の両端開放部分が、後述するリセ側補強部材１５によって開放を維持する状態になされている。
【００２８】
一方、プラグコネクタ（第２の電気コネクタ）２０側のコンタクト部材２２が取り付けられている絶縁ハウジング２１は、上述した２列の電極列同士の間部分、すなわちコネクタ幅方向の中央部分が、コネクタ長手方向に延在する凹状の溝状空間になされている。そして、その絶縁ハウジング２１の凹状の溝状空間を挟んでコネクタ幅方向の両側に形成されている長手側壁部２１ｂ，２１ｂには、一対のコンタクト部材２２，２２がコネクタ幅方向に対称的な形状をなすように向かい合った状態で取り付けられている。それらの各コンタクト部材２２は、後述するような圧入によって、長手側壁部２１ｂの外周側に巻き付くようにして上方に突出する状態に配置されているが、当該コンタクト部材２２における上方突出部分は、嵌合凸部２２ａをなすように折り曲げ形成されている。
【００２９】
ここで、上述したコンタクト部材１２及び２２は、各絶縁ハウジング１１及び２１の両長手側壁部１１ｂ，２１ｂからコネクタ幅方向の外方側に向かって突出する基板接続脚部１２ｂ，２２ｂを有している。これらの基板接続脚部１２ｂ，２２ｂは、コネクタ実装時に、第１及び第２の配線基板（図示省略）の表面上に形成された信号伝送用導電路にそれぞれ半田接合された状態になされる。
【００３０】
そして、上述した両電気コネクタ１０，２０同士が嵌合されるにあっては、まず図３１に示されているように、第１の配線基板（図示省略）に実装されたリセプタクルコネクタ（第１の電気コネクタ）１０の上方位置に、第２の配線基板（図示省略）に実装されたプラグコネクタ（第２の電気コネクタ）２０が対向配置され、次いで図３２に示されているように、プラグコネクタ２０側のコンタクト部材２２の嵌合凸部２２ａが、リセプタクルコネクタ１０側のコンタクト部材１２の嵌合凹部１２ａの内方に嵌り込むように下方に向かって押し込まれていき、それによってコンタクト部材２２に設けられた接点部が、コンタクト部材１２側に設けられた接点部に対して弾性的に押圧接触し、両コンタクト部材１２，２２同士の電気的な接続が行われるようになっている。
【００３１】
[リセ側補強部材について]
次に、前述した補強部材１５，２５の構造に関する説明を行う。まず、リセプタクルコネクタ（第１の電気コネクタ）１０においては、絶縁ハウジング１１のコネクタ長手方向における両端部分に、薄板状の金属部材の折曲体からなるリセ側補強部材１５，１５が取り付けられている。これらの各リセ側補強部材１５は、特に図５〜図９に示されているように、前述した絶縁ハウジング１１におけるコネクタ幅方向の両側に一対設けられた長手側壁部１１ｂ，１１ｂに対して上方側から圧入された状態で取り付けられており、コネクタ長手方向における両端の長手側壁部１１ｂ，１１ｂ同士を、上述したリセ側補強部材１５がコネクタ幅方向に掛け渡すように装着されている。
【００３２】
このようにコネクタ長手方向の両端部分に配置された各リセ側補強部材１５の本体部分1５ａは、コネクタ長手方向の外方側から見たときに略Ｍ字形状をなすように折り曲げ形成されており、その本体部分１５ａにおけるコネクタ幅方向の両側部分に、逆Ｕ字状の山形状をなすように設けられた一対の固定片部１５ｂ，１５ｂが、上述した長手側壁部１１ｂ，１１ｂに対して上方側から圧入により固定されている。
【００３３】
これらの各固定片部１５ｂにおけるコネクタ幅方向の外方側部分の下端部からは、コネクタ幅方向の外方側に向かって基板接続部１５ｃが略水平に延出している。それらの各基板接続部１５ｃは、第１の配線基板（図示省略）の表面上に設けられた半田接合部もしくはグランド用導電路に対して半田接合され、そのときの接合力によってプラグ側補強部材１５の全体が固定状態に保持されるようになっている。
【００３４】
ここで、各固定片部１５ｂの圧入には、前述したコンタクト取付け部１１ｃが用いられている（図１参照）。すなわち、上述したように長手側壁部１１ｂに圧入されている固定片部１５ｂから延びている本体部分１５ａの一部は、コネクタ長手方向の両端に位置するコンタクト取付け部１１ｃの内部に凹状に窪むようにして配置されている。そして、このようにしてコンタクト取付け部１１ｃに配置されたリセ側補強部材１５の本体部分１５ａは、コンタクト取付け部１１ｃの配列の方向である「コネクタ長手方向」に略直交する方向（コネクタ幅方向）に延在しており、当該リセ側補強部材１５によって、絶縁ハウジング１１における「コネクタ長手方向」の外壁が構成されている。
【００３５】
また、このリセ側補強部材１５に設けられた本体部分１５ａは、上述したように固定片部１５ｂから凹状に窪んだ状態でコネクタ幅方向の中央寄りに延びており、その後に上方に立ち上がり、さらに前述した絶縁ハウジング１１の仕切り板１１ｄの上面に達した位置で、略水平に延在する中央平坦部１５ｄになされている。この中央平坦部１５ｄは、仕切り板１１ｄの上面に対して上方側から当接された状態でコネクタ幅方向に延在している。
【００３６】
また、そのリセ側補強部材１５の中央平坦部１５ｄにおけるコネクタ長手方向の外端縁からは、コネクタ長手方向の外方側に向かって基板接続部１５ｅが延出している。この基板接続部１５ｅは、上述した中央平坦部１５ｄから略水平に延出した後に、略直角下方に折れ曲がって延びており、第２の配線基板（図示省略）の表面に相当する位置で、再び略直角外方に折れ曲がって略水平に延出している。そして、この基板接続部１５ｅの下端部分に設けられた略水平の延出部分が、第２の配線基板の表面上に設けられた半田接合部もしくはグランド用導電路に対して半田接合され、その接合力によってリセ側補強部材１５の全体が固定状態に保持されるようになっている。
【００３７】
[プラグ側補強部材について]
一方、プラグコネクタ（第２の電気コネクタ）２０においては、絶縁ハウジング２１のコネクタ長手方向における両端部分に、薄板状の金属部材の折曲体からなるプラグ側補強部材２５，２５が取り付けられている。これらの各リセ側補強部材２５は、特に図１４〜図１８に示されているように、前述した絶縁ハウジング２１におけるコネクタ幅方向の両側に一対設けられた長手側壁部２１ｂ，２１ｂに対して上方側から圧入されており、それらの長手側壁部２１ｂ，２１ｂ同士をコネクタ幅方向に掛け渡すように配置された本体部分２５ａを有している。
【００３８】
このようにしてコネクタ長手方向の両端部分に配置された各プラグ側補強部材２５は、コネクタ長手方向の外方側から見たときに逆Ｕ字状の山形状をなすように折り曲げ形成された一対の固定片部２５ａ，２５ａを有しており、それら一対の固定片部２５ａ，２５ａが、上述した長手側壁部２１ｂ，２１ｂに対して上方側からの圧入により固定されている。これらの各固定片部２５ａにおけるコネクタ幅方向の外方側の下端部分からは、コネクタ幅方向の外方側に向かって基板接続部２５ｂが略水平に延出している。これらの各基板接続部２５ｂは、第２の配線基板（図示省略）の表面上に設けられた半田接合部もしくはグランド用導電路に対して半田接合され、そのときの接合力によってプラグ側補強部材２５の全体が固定状態に保持されるようになっている。
【００３９】
これらの各固定片部２５ａを圧入するにあたっては、前述したコンタクト取付け部２１ｃが用いられている。すなわち、上述したように長手側壁部２１ｂ，２１ｂに圧入されている固定片部２５ｂ，２５ｂは、それぞれコンタクト取付け部２１ｃ（図２７参照）に対して上方から覆うように湾曲して延びた状態に固定されている。そして、これらの両固定片部２５ｂ，２５ｂを掛け渡している帯板状部材からなる本体部分２５ｃは、コンタクト取付け部２１ｃの配列の方向である「コネクタ長手方向」に略直交する方向（コネクタ幅方向）に延在しており、そのように配置されたプラグ側補強部材２５によって、絶縁ハウジング２１における「コネクタ長手方向」の外壁が構成されている。
【００４０】
ここで、上述した本体部分２５ｃは、当該本体部分２５ｃを構成している帯板状部材の板幅方向が、第２の配線基板（図示省略）の表面に対して略直角となるように立てられた状態に配置されており、その本体部分２５ｃの下端縁部からは、コネクタ長手方向の外方側に向かって基板接続部２５ｄが延出している。この基板接続部２５ｄは、上述したように本体部分２５ｃの下端縁部から下方に延出した後に、略直角外方に折れ曲がって略水平に延出しており、その基板接続部２５ｄの下端部分に設けられた略水平の延出部分が、第１の配線基板（図示省略）の表面上の半田接合部もしくはグランド用導電路に対して半田接合され、その接合力によってリセ側補強部材２５の全体が固定状態に保持されるようになっている。
【００４１】
また、上述したプラグ側補強部材２５の一部を構成している固定片部２５ａ及び基板接続部２５ｂは、前述したコンタクト部材２２を構成している嵌合凸部２２ａ及び基板接続脚部２２ｂに対して、コネクタ長手方向に見たときの形状が略同一の形状を備えた構成になされている。
【００４２】
一方、本実施形態において採用されている絶縁ハウジング１１，２１は、特に図１９及び図２５に示されているように、当該絶縁ハウジング１１，２１の元となる長尺状の絶縁状素材１１‘，２１’を用いて形成されており、その絶縁状素材１１‘，２１’が、図２０及び図２６に示されているように、適宜の位置で機械的に切断されることによって絶縁ハウジング１１，２１になされている。
【００４３】
より具体的には、上述した絶縁ハウジング１１，２１の両端面、すなわち複数体のコンタクト取付け部１１ｃ，２１ｃにおける配列の方向（コネクタ長手方向）の両端面は、種々の切断手段により形成された機械的切断面になされている。従って、前述したように、リセプタクルコネクタ（第１の電気コネクタ）１０における嵌合凹部１２ａの両側部分を構成している凹状溝、及びプラグコネクタ（第２の電気コネクタ）２０における嵌合凸部２２ａの両側部分を構成している凹状溝は、複数体のコンタクト取付け部１２ｃ，２１ｃの配列の方向である「コネクタ長手方向」に連続した状態になされており、同方向における両端部分が開放された状態になされている。
【００４４】
また、本実施形態においては、前述したようにリセプタクルコネクタ（第１の電気コネクタ）１０に対して、プラグコネクタ（第２の電気コネクタ）２０が嵌合されるにあたって、リセプタクルコネクタ１０の内方領域にプラグコネクタ２０が嵌合される構成になされているが、そのプラグコネクタ２０に設けられたプラグ側補強部材２５の一部である本体部分２５ｃが、リセプタクルコネクタ１０におけるコネクタ長手方向の両端部から、同方向の外方領域に突出した状態となるように嵌合が行われる構成になされている（図３２参照）。
【００４５】
このような構成を有する本発明によれば、長尺状をなす絶縁ハウジング１１，２１の元となる絶縁状素材１１‘，２１’を適宜の位置で切断することによって、各々の被切断部分が絶縁ハウジング１１，２１として使用されることとなり、電気信号の伝送に必要な極数の変動に対応して切断位置を変更するだけで、各絶縁ハウジング１１，２１は安価かつ迅速に製造される。よって本発明によれば、簡易な構成で、電気信号の伝送における異なる極数に対して容易に対応できる。
【００４６】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４７】
例えば、上述した実施形態におけるコンタクト部材１２，２２同士の凹凸嵌合関係は、リセプタクルコネクタ１０とプラグコネクタ２０との間において逆の関係に配置することが可能である。
【産業上の利用可能性】
【００４８】
以上のように本発明は、各種電子・電気機器に使用される多種多様な基板接続用の電気コネクタ装置に対して広く適用することが可能である。
【符号の説明】
【００４９】
１０  リセプタクルコネクタ（第１の電気コネクタ）
１１  絶縁ハウジング
１１‘  絶縁状素材
１１ａ  底面板
１１ｂ  長手側壁部
１１ｃ  コンタクト取付け部
１１ｄ  仕切り板
１２  コンタクト部材
１２ａ  嵌合凹部
１２ｂ  基板接続脚部
１５  リセ側補強部材
１５ａ  本体部分
１５ｂ  固定片部
１５ｃ  基板接続部
１５ｄ  中央平坦部
１５ｅ  基板接続部
２０  プラグコネクタ（第２の電気コネクタ）
２１  絶縁ハウジング
２１’  絶縁状素材
２１ａ  底面板
２１ｂ  長手側壁部
２１ｃ  コンタクト取付け部
２２  コンタクト部材
２２ａ  嵌合凸部
２２ｂ  基板接続脚部
２５  プラグ側補強部材
２５ａ  固定片部
２５ｂ  基板接続部
２５ｃ  本体部分
２５ｄ  基板接続部
【図１】
2017162783.tif 000003
【図２】
2017162783.tif 000004
【図３】
2017162783.tif 000005
【図４】
2017162783.tif 000006
【図５】
2017162783.tif 000007
【図６】
2017162783.tif 000008
【図７】
2017162783.tif 000009
【図８】
2017162783.tif 000010
【図９】
2017162783.tif 000011
【図１０】
2017162783.tif 000012
【図１１】
2017162783.tif 000013
【図１２】
2017162783.tif 000014
【図１３】
2017162783.tif 000015
【図１４】
2017162783.tif 000016
【図１５】
2017162783.tif 000017
【図１６】
2017162783.tif 000018
【図１７】
2017162783.tif 000019
【図１８】
2017162783.tif 000020
【図１９】
2017162783.tif 000021
【図２０】
2017162783.tif 000022
【図２１】
2017162783.tif 000023
【図２２】
2017162783.tif 000024
【図２３】
2017162783.tif 000025
【図２４】
2017162783.tif 000026
【図２５】
2017162783.tif 000027
【図２６】
2017162783.tif 000028
【図２７】
2017162783.tif 000029
【図２８】
2017162783.tif 000030
【図２９】
2017162783.tif 000031
【図３０】
2017162783.tif 000032
【図３１】
2017162783.tif 000033
【図３２】
2017162783.tif 000034
【図３３】
2017162783.tif 000035
【図３４】
2017162783.tif 000036
【図３５】
2017162783.tif 000037
【図３６】
2017162783.tif 000038